(57)【特許請求の範囲】
【請求項１】
互いに対向する上下一対の合成樹脂製のハーフによって形成されたカートリッジケース内にディスク状記録媒体を回転自在に収納してなるディスクカートリッジにおいて、
前記ハーフの少なくとも一方に、該ハーフを射出成形するための金型の可動型に設けられた突起によって形成される箇所の周辺部が前記金型の型開きの際に前記金型の固定型から離型しないようにするための固定手段を少なくとも挿入スロット又はグリッパスロットの周辺部に設けたことを特徴とするディスクカートリッジ。
【請求項２】
前記ハーフを射出成形するための金型の可動型に設けられた突起によって形成される箇所の周辺部における前記固定型から離型するための抜き勾配が形成される面の少なくとも一部に前記金型の型開き方向に延びる凸条を形成し、これを前記固定手段としたことを特徴とする請求項１に記載のディスクカートリッジ。
【発明の詳細な説明】
【０００１】
【発明の属する技術分野】
本発明は、コンピュータ機器等の記録媒体として使用されるディスクカートリッジに関するものであり、更に詳しくは、カートリッジケースを形成するハーフの成形性の向上を図ったディスクカートリッジに関するものである。
【０００２】
【従来の技術】
図７は従来のディスクカートリッジの一例を示す斜視図である。このディスクカートリッジ１０１は、互いに対向する上下一対の合成樹脂製のハーフ１０２、１０３によって形成されたカートリッジケース１０４内に光ディスク１０５を回転自在に収納してなるもので、ヘッドアクセス窓１０６、モータアクセス窓１０７、ヘッドアクセス窓１０６及びモータアクセス窓１０７を開閉するシャッタ１０８、シャッタ１０８を閉方向に弾性付勢するスプリング１０９、ディスクカートリッジ１０１をフロッピーディスクドライブ等の機器装置上に固定するための部材が挿入される挿入スロット１１０、ディスクカートリッジ１０１を機器装置上に位置決めするためのピンが挿入される位置決め穴１１１及びアライメント穴１１２、機器装置のオートチェンジャ機構のグリップが挿入されるグリッパスロット１１３等を有している。
【０００３】
【発明が解決しようとする課題】
上記のような従来のディスクカートリッジには、カートリッジケース１０４を形成しているハーフ１０２、１０３の成形性が悪いという問題があった。ハーフ１０２、１０３はネジ止めや超音波溶着等によって一体化されるが、ネジ止めの場合には、一方のハーフの外面側にネジ頭を埋め込むための複数個の凹部１１４が設けられる。一方、超音波溶着の場合には、ハーフ１０２、１０３の内面に溶着用のボスが設けられるが、ハーフの射出成形時にボスの部分にヒケが生じないようにするため、ハーフの外面側のボスの裏側となる位置に肉盗みのための凹部が設けられることがある。
【０００４】
このような凹部は、ハーフを射出成形するための金型の可動型に設けられた突起によって形成されるが、可動型にこのような突起が有る場合、ハーフの射出成形後の型開きの際に、ハーフが充分に冷却されていないと、突起と凹部の間の摩擦力が大きいため、突起が凹部からスムーズに抜けることができず、凹部が突起に引っ張られて凹部の周辺部が金型の固定型から離型して変形してしまうことがあり、成形性の良くないものであった。また、これをなるべく避けるためにはハーフの冷却時間を長くしなければならず、そうした場合にはハーフの成形性が非常に悪くなるものであった。
【０００５】
なお、上述した問題は、上述した箇所以外にも存在する。例えば、図７のディスクカートリッジでは、挿入スロット１１０、位置決め穴１１１、アライメント穴１１２、グリッパスロット１１３は、機器装置のピンやグリップがハーフの外面側から挿入されるため、外面側周縁部にアールや面取りを形成する必要があり、可動型側の突起によって形成しなければならない。したがって、これらの箇所も、ハーフの冷却時間が短いと、型開きの際に突起がスムーズに抜けず、その周辺部が変形する恐れが有り、ハーフの冷却時間を長くする一因となっている。
【０００６】
本発明は、上述した問題点を解決するためになされたものであって、その目的は、カートリッジケースを形成するハーフの成形性の向上を図ったディスクカートリッジを提供することにある。
【０００７】
【課題を解決するための手段】
上述した目的を達成するために、請求項１の発明は、互いに対向する上下一対の合成樹脂製のハーフによって形成されたカートリッジケース内にディスク状記録媒体を回転自在に収納してなるディスクカートリッジにおいて、前記ハーフの少なくとも一方に、該ハーフを射出成形するための金型の可動型に設けられた突起によって形成される箇所の周辺部が前記金型の型開きの際に前記金型の固定型から離型しないようにするための固定手段を少なくとも挿入スロット又はグリッパスロットの周辺部に設けたことを特徴とするものである。
【０００８】
また、請求項２の発明は、請求項１の発明において、前記ハーフを射出成形するための金型の可動型に設けられた突起によって形成される箇所の周辺部における前記固定型から離型するための抜き勾配が形成される面の少なくとも一部に前記金型の型開き方向に延びる凸条を形成し、これを前記固定手段としたことを特徴とするものである。
【００１１】
【発明の実施の形態】
以下、本発明の具体的な実施形態を図面を参照しながら説明する。
図１は本発明の一実施形態であるディスクカートリッジを表面側から見た図、図２は図１のディスクカートリッジを裏面側から見た図、図３は上ハーフを裏面側から見た図、図４は下ハーフを裏面側から見た図、図５は図４のＡ部拡大図、図６は図４のＢ−Ｂ線矢視図である。
【００１２】
図１、２に示すディスクカートリッジ１は、互いに対向する上下一対の合成樹脂製のハーフ２、３によって形成されたカートリッジケース４内に光ディスク５を回転自在に収納してなるもので、ハーフ２、３は超音波溶着によって一体化されている。ハーフ２にはヘッドアクセス窓６が形成され、ハーフ３にはヘッドアクセス窓６及びモータアクセス窓７が形成されている。８はヘッドアクセス窓６及びモータアクセス窓７を開閉するシャッタで、スプリング９によって閉方向に弾性付勢されている。１０は挿入スロット、１１は位置決め穴、１２はアライメント穴、１３はグリッパスロットである。
【００１３】
挿入スロット１０は、図３、４に示すように、上ハーフ２に設けられ底部が閉塞された半円形の切り欠きからなる第１の挿入スロット形成部１０ａと、下ハーフ３に設けられ半円形の切り欠きからなる第２の挿入スロット形成部１０ｂとにより形成され、グリッパスロット１３は、上ハーフ２に設けられ矩形の切り欠きからなる第１のグリッパスロット形成部１３ａと、下ハーフ３に設けられ矩形の切り欠きからなる第２のグリッパスロット形成部１３ｂとにより形成されている。
【００１４】
図５に示すように、第２の挿入スロット形成部１０ｂの周囲の円弧状のリブ１４の外周面には、下ハーフ３を射出成形するための金型の型開き方向に延びる複数本の凸条１４ａ（固定手段）が形成されている。第２の挿入スロット形成部１０ｂは、従来技術の項で述べた理由により、可動型に設けられた突起によって形成される。リブ１４に凸条１４ａを設けたことにより、固定型とリブ１４の間の摩擦力が増すため、型開きの際に第２の挿入スロット形成部１０ｂの周辺部が固定型から離型しにくくなる。
【００１５】
なお、第１及び第２のグリッパスロット形成部１３ａ、１３ｂも、可動型に設けられた突起によって形成されるため、これらの周囲のリブ１６、１７の外周面にもそれぞれ金型の型開き方向に延びる凸条１６ａ、１７ａが形成されている。なお、第１の挿入スロット形成部１０ａは、有底であるため、固定型に設けた突起によって形成される。したがって、その周囲のリブ１８には凸条が形成されていない。
【００１６】
図３に示すように、ハーフ２の内面の四つの角部に近い位置には、超音波溶着用の円筒状のボス１９が設けられており、図４に示すように、ハーフ３の内面には、各ボス１９に対応する位置にボス１９に嵌合する嵌合部２０が設けられている。図６に示すように、嵌合部２０は、円筒状の周壁２１と、該周壁２１内の底部に設けられ、ハーフ３の内面側に突出した断面三角形の環状のリブ２２とを有している。周壁２１の内径Ｄはボス１９の外径よりわずかに小さく、ボス１９が嵌合するようになっている。また、リブ２２の先端縁の直径ｄは、ボス１９の内径より大きくなっており、ハーフ２、３を重ね合わせたときに、リブ２２の先端縁にボス１９の先端面が当接し、超音波溶着機でボス１９に振動を与えると、リブ２２の先端縁とボス１９の先端面がこすれ合って互いに溶着されるようになっている。周壁２１の外周面２１ａは、アンダーカット（固定手段）となるように、金型の型開き方向に対して約２゜傾いている。
【００１７】
リブ２２の内側と、ハーフ３の外面における嵌合部２０の裏側となる位置には、嵌合部２０の樹脂の流れを良くするために、肉盗みである凹部２３、２４が設けられている。ハーフ３の外面側の凹部２４は、可動型に設けられた突起によって形成されるが、周壁２１の外周面２１ａをアンダーカットにすることにより、固定型と外周面２１ａの間の摩擦力が増すため、型開きの際に凹部２４の周辺部が固定型から離型しにくい。
【００１８】
なお、ハーフ３の内面には、位置決め穴１１、アライメント穴１２の周囲に、それぞれ環状のリブ２５、２６が設けられており、位置決め穴１１、アライメント穴１２も可動型に設けられた突起によって形成されるため、リブ２５、２６の外周面も、周壁２１の外周面と同様に、傾斜角度２゜のアンダーカットになっている。
【００１９】
なお、本実施形態では、第２の挿入スロット形成部１０ｂ、第１及び第２のグリッパスロット形成部１３ａ、１３ｂ、嵌合部２０の裏側に設けられた肉盗み用の凹部２４、位置決め穴１１、アライメント穴１２の周辺部に固定手段を設けた場合について説明したが、可動型に設けられた突起によって形成される他の箇所の周辺部にも固定手段を設けることができる。
【００２０】
また、固定手段は、可動型の突起によって形成される箇所の周辺部の全てに設ける必要はなく、型開きの際に離型しやすい部位のみに設ければ良い。
【００２１】
【発明の効果】
以上説明したように、本発明によれば、ハーフを射出成形するための金型の可動型に設けられた突起によって形成される箇所の周辺部が金型の型開きの際に金型の固定型から離型しないようにするための固定手段をハーフに設けたことにより、ハーフの冷却時間を短縮することができ、ハーフの成形性が向上する。
【図面の簡単な説明】
【図１】本発明の一実施形態であるディスクカートリッジを表面側から見た図。
【図２】図１のディスクカートリッジ１を裏面側から見た図。
【図３】上ハーフを裏面側から見た図。
【図４】下ハーフを裏面側から見た図。
【図５】図４のＡ部拡大図。
【図６】図４のＢ−Ｂ線矢視図。
【図７】従来のディスクカートリッジの一例を示す斜視図であり、（ａ）は表面側から見た図、（ｂ）は裏側から見た図。
【符号の説明】
１  ディスクカートリッジ
２  上ハーフ
３  下ハーフ
４  カートリッジケース
５  光ディスク（ディスク状記録媒体）
１４ａ、１６ａ、１７ａ  凸条（固定手段）
【図１】
0003603972.tif 000002
【図２】
0003603972.tif 000003
【図３】
0003603972.tif 000004
【図４】
0003603972.tif 000005
【図５】
0003603972.tif 000006
【図６】
0003603972.tif 000007
【図７】
0003603972.tif 000008